(57)【要約】 【課題】光発生装置及びこれを有する表示装置を提供する。【解決手段】光発生装置は回路基板、及び回路基板上に形成された点光源を含む。各点光源グループは３つのメイン点光源及びメイン点光源と異なるピーク波長を有する光を発生する少なくとも一つのサブ点光源を含む。メイン点光源は、赤色発光ダイオード、緑色発光ダイオード及び青色発光ダイオードを含む。サブ点光源は、赤色発光ダイオードのピーク波長より大きいピーク波長を有する第１サブ発光ダイオード、及び緑色発光ダイオードのピーク波長より大きいピーク波長を有する第２サブ発光ダイオードを含む。従って、表示パネルを通じて表示される画像の輝度を増加させ、色再現性を向上させることができる。【選択図】    図１
2006164935.tif 000002
【特許請求の範囲】
【請求項１】
回路基板と、
前記回路基板上に形成され、３つのメイン点光源、及び前記メイン点光源と異なるピーク波長の光を発生する少なくとも一つのサブ点光源を有する点光源グループと、
を含むことを特徴とする光発生装置。
【請求項２】
前記メイン点光源は、赤色発光ダイオード、緑色発光ダイオード及び青色発光ダイオードを含むことを特徴とする請求項１記載の光発生装置。
【請求項３】
前記赤色発光ダイオードのピーク波長は、６２０〜６５０ｎｍであり、前記緑色発光ダイオードのピーク波長は５１０〜５３０ｎｍであり、前記青色発光ダイオードのピーク波長は４５０〜４７０ｎｍであることを特徴とする請求項２記載の光発生装置。
【請求項４】
前記サブ点光源は、前記赤色発光ダイオードのピーク波長より大きいピーク波長を有する第１サブ発光ダイオードを含むことを特徴とする請求項３記載の光発生装置。
【請求項５】
前記第１サブ発光ダイオードのピーク波長は、６４０〜６７０ｎｍであることを特徴とする請求項４記載の光発生装置。
【請求項６】
前記サブ点光源は、前記緑色発光ダイオードのピーク波長より大きいピーク波長を有する第２サブ発光ダイオードをさらに含むことを特徴とする請求項４記載の光発生装置。
【請求項７】
前記第２サブ発光ダイオードのピーク波長は、５３０〜５５０ｎｍであることを特徴とする請求項６記載の光発生装置。
【請求項８】
前記サブ点光源は、前記青色発光ダイオードのピーク波長より小さいピーク波長を有する第３サブ発光ダイオードをさらに含むことを特徴とする請求項６記載の光発生装置。
【請求項９】
前記第３サブ発光ダイオードのピーク波長は、４５０〜４７０ｎｍであることを特徴とする請求項８記載の光発生装置。
【請求項１０】
底部及び側部からなり収納空間を形成する収納容器と、
回路基板、及び前記各回路基板上に形成され、３つのメイン点光源と前記メイン点光源と異なるピーク波長の光を発生する少なくとも一つのサブ点光源とからなる点光源グループを含み、前記底部に配置される光発生装置と、
前記光発生装置から供給される光を用いて画像を表示する表示パネルと、
を含むことを特徴とする表示装置。
【請求項１１】
前記メイン点光源は赤色発光ダイオード、緑色発光ダイオード及び青色発光ダイオードを含むことを特徴とする請求項１０記載の表示装置。
【請求項１２】
前記赤色発光ダイオードのピーク波長は、６２０〜６５０ｎｍであり、前記緑色発光ダイオードのピーク波長は５１０〜５３０ｎｍであり、前記青色発光ダイオードのピーク波長は４５０〜４７０ｎｍであることを特徴とする請求項１１記載の表示装置。
【請求項１３】
前記サブ点光源は、前記赤色発光ダイオードのピーク波長より大きいピーク波長を有する第１サブ発光ダイオードを含むことを特徴とする請求項１１記載の表示装置。
【請求項１４】
前記第１サブ発光ダイオードのピーク波長は、６４０〜６７０ｎｍであることを特徴とする請求項１３記載の表示装置。
【請求項１５】
前記サブ点光源は、前記緑色発光ダイオードのピーク波長より大きいピーク波長を有する第２サブ発光ダイオードをさらに含むことを特徴とする請求項１３記載の表示装置。
【請求項１６】
前記第２サブ発光ダイオードのピーク波長は、５３０〜５５０ｎｍであることを特徴とする請求項１５記載の表示装置。
【請求項１７】
前記サブ点光源は、前記青色発光ダイオードのピーク波長より小さいピーク波長を有する第３サブ発光ダイオードをさらに含むことを特徴とする請求項１５記載の表示装置。  
【請求項１８】
前記第３サブ発光ダイオードのピーク波長は、４５０〜４７０ｎｍであることを特徴とする請求項１７記載の表示装置。  
【請求項１９】
前記点光源グループは、一列に配置されることを特徴とする請求項１０記載の表示装置。  
【請求項２０】
前記光発生装置は、互いに離隔され且つ互いに平行に配置されることを特徴とする請求項１０記載の表示装置。
【請求項２１】
前記光発生装置の発光のための駆動電圧を前記回路基板に印加する電源供給装置をさらに含むことを特徴とする請求項１０記載の表示装置。
【請求項２２】
前記光発生装置から発生した光の混合のために前記光発生装置の上部に配置される導光部材をさらに含むことを特徴とする請求項１０記載の表示装置。  
【請求項２３】
前記導光部材の上部に配置される光学部材をさらに含むことを特徴とする請求項２２記載の表示装置。
【発明の詳細な説明】
【技術分野】
【０００１】
本発明は光発生装置及びこれを有する表示装置に関し、さらに詳細には高い輝度及び優れた色再現性を有する光を発生する光発生装置及びこれを有する表示装置に関する。
【背景技術】
【０００２】
一般に、表示装置は電子製品の情報処理装置で処理された電気的形態のデータを肉眼で確認することができる画像に変換して表示する。このような表示装置としては、ＣＲＴ（Ｃａｔｈｏｄｅ  Ｒａｙ  Ｔｕｂｅ）、ＰＤＰ（Ｐｌａｓｍａ  Ｄｉｓｐｌａｙ  Ｐａｎｅｌ）、ＬＣＤ（Ｌｉｑｕｉｄ  Ｃｒｙｓｔａｌ  Ｄｉｓｐｌａｙ）、ＥＬ（Ｅｌｅｃｔｒｏ  Ｌｕｍｉｎｅｓｃｅｎｃｅ）などの多様な種類がある。これらのうち、液晶表示装置は液晶の電気的特性及び光学的特性を用いて画像を表示する平板表示装置の一つとして、他の表示装置に比べて薄くて軽く、低駆動電圧及び低消費電力を有するという長所があって、産業全般に渡って幅広く使用されている。
液晶表示装置は画像を表示する液晶表示パネルが自発的に発光することができない非発光性素子であるので、液晶表示パネルに光を供給するための別途の光源を必要とする。
従来の液晶表示装置は、冷陰極蛍光ランプＣＣＦＬ、平板蛍光ランプＦＦＬ、などの白色光を発生する光源を主に使用した。最近には色再現性の向上のために赤色、緑色及び青色発光ダイオードを光源として使用する液晶表示装置についての開発が進行されつつある。赤色、緑色及び青色発光ダイオードから発生された単色光は液晶表示パネルのカラーフィルターとよくマッチングし、色再現性を向上させる。
【発明の開示】
【発明が解決しようとする課題】
【０００３】
しかし、３種類の単色発光ダイオードを光源として使用する場合、従来の蛍光ランプに比べて色再現性が向上するが、輝度が減少してしまうという問題点が発生される。
従って、本発明はこのような従来の問題点を勘案したもので、本発明の目的は高い輝度であり且つ色再現性が優れた光を生成する光発生装置を提供することにある。
本発明の他の目的は前記光発生装置を有する表示装置を提供することにある。  
【課題を解決するための手段】
【０００４】
前述した本発明の目的を達成するための光発生装置は、回路基板及び点光源グループを含む。前記点光源グループは、前記回路基板上に形成され、３つのメイン点光源及び前記メイン点光源と異なるピーク波長の光を発生する少なくとも一つのサブ点光源を含む。
前記メイン点光源は赤色発光ダイオード、緑色発光ダイオード及び青色発光ダイオードを含む。前記赤色発光ダイオードのピーク波長は約６２０〜約６５０ｎｍであり、前記緑色発光ダイオードのピーク波長は約５１０〜５３０ｎｍであり、前記青色発光ダイオードのピーク波長は約４５０〜約４７０ｎｍである。
【０００５】
前記サブ点光源は前記赤色発光ダイオードのピーク波長より大きいピーク波長を有する第１サブ発光ダイオードを含む。前記第１サブ発光ダイオードのピーク波長は約６４０〜約６７０ｎｍである。
前記サブ点光源は前記緑色発光ダイオードのピーク波長より大きいピーク波長を有する第２サブ発光ダイオードをさらに含む。前記第２サブ発光ダイオードのピーク波長は約５３０〜約５５０ｎｍである。
前記サブ点光源は前記青色発光ダイオードのピーク波長より小さいピーク波長を有する第３サブ発光ダイオードをさらに含む。前記第３サブ発光ダイオードのピーク波長は約４５０〜約４７０ｎｍである。
【０００６】
前述した本発明の他の目的を達成するための表示装置は、収納容器、光発生装置及び表示パネルを含む。前記収納容器は、底部及び側部からなり収納空間を形成する。前記光画素装置は回路基板、及び前記各回路基板上に形成され、３つのメイン点光源と、前記メイン点光源と異なるピーク波長の光を発生する少なくとも一つのサブ点光源とからなる点光源グループを含み、前記底部に配置される。
このような光発生装置及びこれを有する表示装置によると、表示パネルを通じて表示される画像の輝度を増加させ、色再現性を向上させることができる。
【発明を実施するための最良の形態】
【０００７】
以下、図面を参照して本発明の望ましい一実施形態をより詳細に説明する。
図１は本発明の一実施形態による光発生装置１００を示す平面図である。
図１に示すように、本発明の一実施形態による光発生装置１００は回路基板１１０及び点光源グループ２００を含む。
回路基板１１０は長方体のプレート形状を有する。回路基板１１０は、例えば、印刷回路基板または印刷回路基板に熱伝導率が優れた金属がコーティングされた金属コーティング基板からなる。回路基板１１０には外部から供給された電源を点光源グループ２００に印加するための電源印加線(図示せず)が形成されている。
【０００８】
点光源グループ２００は回路基板１１０上に形成される。点光源グループ２００は、それぞれ、３つのメイン点光源２１０及びメイン点光源２１０と異なるピーク波長を有する少なくとも一つのサブ点光源２２０を含む。点光源グループ２００は回路基板１１０の長さ方向に一列に配置される。これとは異なり、点光源グループ２００は回路基板１１０の長さ方向に２列以上に配列されることができる。また、各点光源グループ２００に含まれるメイン点光源２１０及びサブ点光源２２０は回路基板１１０の長さ方向に一列または２列以上に配置されることができる。また、メイン点光源２１０及びサブ点光源２２０の配列順序は多様に変更されることができる。例えば、サブ点光源２２０はメイン点光源２１０の間に配置されることができる。
メイン点光源２１０は赤色発光ダイオード２１２、緑色発光ダイオード２１４及び青色発光ダイオード２１６を含む。ここで、赤色発光ダイオード２１２はピーク波長が約６２０〜約６５０ｎｍの範囲内にある光を発生する。緑色発光ダイオード２１４はピーク波長が約５１０〜約５３０ｎｍの範囲内にある光を発生する。青色発光ダイオード２１６はピーク波長が約４５０〜４７０ｎｍの範囲内にある光を発生する。
【０００９】
サブ点光源２２０は、メイン点光源２１０のみ存在するときに比べて輝度の増加及び色再現性を向上するために、メイン点光源２１０と異なるピーク波長を有する光を発生する。
本実施形態において、サブ点光源２２０は第１サブ発光ダイオード２２２及び第２サブ発光ダイオード２２４を含む。第１サブ発光ダイオード２２２は赤色発光ダイオード２１２のピーク波長より大きい波長を有する光を発生する。一例で、第１サブ発光ダイオード２２２はピーク波長が約６４０〜約６７０ｎｍの範囲内にある光を発生する。第２サブ発光ダイオード２２４は緑色発光ダイオード２１４のピーク波長より大きいピーク波長を有する光を発生する。一例で、第２サブ発光ダイオード２２４はピーク波長が約５３０〜５５０ｎｍの範囲内にある光を発生する。第１サブ発光ダイオード２２２及び第２サブ発光ダイオード２２４は点光源グループ２００から生成される光の輝度を増加させ、色再現性を向上させる。
図２はメイン点光源のみを使用した比較例としての光発生装置による光のスペクトルを示すグラフであり、図３はカラーマッチング関数を示すグラフである。
図２及び図３に示すように、比較例においては各点光源グループが３つのメイン点光源のみからなる。メイン点光源は赤色発光ダイオードＲ、緑色発光ダイオードＧ及び青色発光ダイオードＢを含む。このような３色の発光ダイオードから発生した光が混合され白色光を生成する。  
【００１０】
３色発光ダイオードを使用する場合、色再現性を向上させるためには、各発光ダイオードのスペクトル分布が狭く、互いに重畳する領域のない発光ダイオードを使用することが望ましい。反面、人間の目が明るさを認識する程度は色によって、即ち、光の波長によって異なるように感じる。光の波長によって人間の目が明るさを認識する程度は図３に示されたカラーマッチング関数（Ｃｏｌｏｒ  Ｍａｔｃｈｉｎｇ  Ｆｕｎｃｔｉｏｎ、ＣＩＥ（国際照明委員会）、１９３１年）のうち緑色刺激関数ＧＦに一致する。図３に示されたように、緑色刺激関数ＧＦの領域のうち多くの部分は赤色刺激関数ＲＦと重なる。従って、緑色の場合、約５５５ｎｍ周辺の光が最も明るく見える。しかし、赤色と重なることによって色再現性が低下するようになる。青色の場合、約４５０ｎｍ周辺の光が最も鮮明であるが、明るさがあまり明るくないという短所がある。赤色の場合、約６００ｎｍの光が最も鮮明ではあるが、やはり緑色刺激関数ＧＦと重なって色再現性が低下するという短所がある。
【００１１】
このように、３色の発光ダイオードを使用する場合、輝度と色再現との間には互いにトレイドオフ（ｔｒａｄｅ−ｏｆｆ）関係がある。従って、色再現性の向上のためには赤色、緑色及び青色の最も純粋な波長帯の光、すなわち赤色、緑色、青色の波長体が互いに重ならない波長体の光を選択して使用し、輝度の増加のためには、可能な限り、緑色の光のうち最も明るく見える約５５５ｎｍの波長に近い波長の光を使用することが望ましい。
図２は赤色、緑色及び青色の発光ダイオードに同一の電圧、例えば、１０Ｖの電圧を印加した場合に発生したた光のスペクトル分布を示す。図２で、赤色光Ｒのピーク波長は約６４５ｎｍであり、緑色光Ｇのピーク波長は約５２０ｎｍであり、青色光Ｂのピーク波長は約４６０ｎｍである。このような３色の発光ダイオードを有する比較例において、生成された白色光Ｗの輝度は約５１５５ｃｄ／ｍ２であり、色再現性は約１０６．６％であった。
【００１２】
図４は図１に示された点光源グループの実験例を示すグラフである。
図１及び図４に示すように、本発明の点光源グループ２００は３つのメイン点光源２１０と２つのサブ点光源２２０を含む。メイン点光源２１０は赤色発光ダイオード２１２、緑色発光ダイオード２１４及び青色発光ダイオード２１６を含み、サブ点光源２２０は第１サブ発光ダイオード２２２及び第２サブ発光ダイオード２２４を含む。
赤色発光ダイオード２１２はピーク波長が約６３０ｎｍである第１赤色光Ｒ１を発生する。緑色発光ダイオード２１４はピーク波長が約５２０ｎｍである第１緑色光Ｇ１を発生する。青色発光ダイオード２１６はピーク波長が約４５０ｎｍである青色光Ｂを発生する。第１サブ発光ダイオード２２２はピーク波長が約６６０ｎｍである第２赤色光Ｒ２を発生する。第２サブ発光ダイオード２２４はピーク波長が約５４０ｎｍである第２緑色光Ｇ２を発生する。本実験では比較例と同一のパワー条件を満たすために、青色発光ダイオード２１６に約１０Ｖが印加され、緑色発光ダイオード２１４及び第２サブ発光ダイオード２２４に約１０Ｖが印加され、赤色発光ダイオード２１２及び第１サブ発光ダイオード２２２に約１０Ｖが印加された。
【００１３】
本実験例で、３つのメイン点光源２１０及び２つのサブ点光源２２０によって生成された白色光Ｗの輝度は約６０７７ｃｄ／ｍ２であり、色再現性は約１０２．４％であった。即ち、色再現性は比較例に比べて若干劣っているがほぼ同等の水準となり、輝度は比較例に比べて約１８％程度上昇した。このように輝度が増加される理由は、約５２０ｎｍのピーク波長を有する第１緑色光Ｇ１と約５４０ｎｍのピーク波長を有する第２緑色光Ｇ２とが混合され、全体的な緑色光の分布が、比較例（図２）の緑色光Ｇと比較して、輝度に最も多くの影響を及ぼす約５５５ｎｍに近づく方向にシフトされるからである。また、第１赤色光Ｒ１は、比較例の赤色光Ｒのピーク波長である約６４５ｎｍに比べて５５５ｎｍに近い約６３０ｎｍのピーク波長を有するので、輝度上昇に寄与する。また、第２赤色光Ｒ２は、第１赤色光Ｒ１のピーク波長を５５５ｎｍに近づけたことによる色再現性の減少を防止するために、比較例の赤色光Ｒのピーク波長である約６４５ｎｍより大きい約６６０ｎｍのピーク波長を有する。
【００１４】
図５は本発明の他の実施形態による光発生装置を示す平面図であり、図６は図５に示された点光源グループの実験例を示すグラフである。
図５及び図６に示すように、本発明の他の実施形態による光発生装置３００は回路基板３１０、及び回路基板３１０上に形成された点光源グループ４００を含む。回路基板３１０は図１に示された回路基板１１０と同一の構造を有するので、その重複する詳細な説明は省略する。
各点光源グループ４００は、３つのメイン点光源４１０、及びメイン点光源４１０と異なるピーク波長を３つのサブ点光源４２０を含む。点光源グループ４００は回路基板３１０の長さ方向に一列に配置される。これとは異なり、点光源グループ４００は回路基板３１０の長さ方向に２列以上に配列されることができる。また、各点光源グループ４００に含まれるメイン点光源４１０及びサブ点光源４２０は回路基板３１０の長さ方向に一列または２列以上に配置されることができる。また、メイン点光源４１０及びサブ点光源４２０の配列順序は多様に変更されることができる。例えば、サブ点光源４２０はメイン点光源４１０の間に配置されることができる。
【００１５】
メイン点光源４１０は赤色発光ダイオード４１２、緑色発光ダイオード４１４及び青色発光ダイオード４１６を含み、サブ点光源４２０は第１サブ発光ダイオード４２２、第２サブ発光ダイオード４２４及び第３サブ発光ダイオード４２６を含む。
赤色発光ダイオード４１２はピーク波長が約６４０ｎｍである第１赤色光Ｒ１を発生する。緑色発光ダイオード４１４はピーク波長が約５２０ｎｍである第１緑色光Ｇ１を発生する。青色発光ダイオード４１６はピーク波長が約４６０ｎｍである第１青色光Ｂ１を発生する。第１サブ発光ダイオード４２２はピーク波長が約６６０ｎｍである第２赤色光Ｒ２を発生する。第２サブ発光ダイオード４２４はピーク波長が約５４０ｎｍである第２緑色光Ｇ２を発生する。第３サブ発光ダイオード４２６は、例えばピーク波長が４５０ｎｍ〜４７０ｎｍの範囲内にある光を発する。本実施形態では、第３サブ発光ダイオード４２６はピーク波長が約４５０ｎｍである第２青色光Ｂ２を発生する。本実験例においては、比較例と同一のパワー条件を満足するために、赤色発光ダイオード４１２及び第１サブ発光ダイオード４２２に約１０Ｖが印加され、緑色発光ダイオード４１４及び第２サブ発光ダイオード４２４に約１０Ｖが印加され、青色発光ダイオード４１６及び第３サブ発光ダイオード４２６に約１０Ｖが印加された。
【００１６】
本実験例において、３つのメイン点光源４１０及び３つのサブ点光源４２０によって生成された白色光Ｗの輝度は約５６８３ｃｄ／ｍ２であり、色再現性は約１０４．２％である。即ち、色再現性は比較例と殆ど同等な水準となり、輝度は比較例に比べて約１０％程度上昇した。第２サブ発光ダイオード４２４から発生した第２緑色光Ｇ２及び赤色発光ダイオード４１２から発生した第１赤色光Ｒ１は、それぞれ、ピーク波長が比較例の場合と比較して５５５ｎｍに近い値となるように設計され、これにより輝度を増加させることができる。一方、第１サブ発光ダイオード４２２から発生される第２赤色光Ｒ２及び第３サブ発光ダイオード４２６から発生される第２青色光Ｂ２は、それぞれ、比較例と比べてピーク波長が緑色光のピーク波長から遠くなるように設計され、これにより色再現性を向上させることができる。
【００１７】
図７は本発明のさらにまたの実施形態による光発生装置を示す平面図であり、図８は図７に示された点光源グループの実験例を示すグラフである。
図７及び図８に示すように、本実施形態による光発生装置５００は、回路基板５１０及び回路基板５１０上に形成された点光源グループ６００を含む。回路基板５１０は図１に示されたのと同一の構造を有するので、その重複する詳細な説明は省略することにする。
それぞれの点光源グループ６００は、３つのメイン点光源６１０、及びメイン点光源６１０と異なるピーク波長を有する一つのサブ点光源６２０を含む。点光源グループ６００は、回路基板５１０の長さ方向に一列に配置される。これとは異なり、点光源グループ６００は回路基板５１０の長さ方向に２列以上に配列されることができる。また、各点光源グループ６００に含まれるメイン点光源６１０及びサブ点光源６２０は回路基板５１０の長さ方向に１列または２列以上に配置されることができる。また、メイン点光源６１０及びサブ点光源６２０の配列順序は多様に変更されることができる。例えば、サブ点光源６２０はメイン点光源６１０の間に配置されることができる。
【００１８】
メイン点光源６１０は赤色発光ダイオード６１２、緑色発光ダイオード６１４及び青色発光ダイオード６１６を含み、サブ点光源６２０はサブ発光ダイオード６２２を含む。
赤色発光ダイオード６１２はピーク波長が約６３０ｎｍである第１赤色光Ｒ１を発生する。緑色発光ダイオード６１４はピーク波長が約５２０ｎｍである緑色光Ｇを発生する。青色発光ダイオード６１６はピーク波長が約４６０ｎｍである青色光Ｂを発生する。サブ発光ダイオード６２２はピーク波長が約６５０ｎｍである第２赤色光Ｒ２を発生する。本実験例においては比較例と同一のパワー条件を満たすために、赤色発光ダイオード６１２及びサブ発光ダイオード６２２に約１０Ｖが印加され、緑色発光ダイオード６１４に１０Ｖが印加され、青色発光ダイオード６１６に約１０Ｖが印加される。
【００１９】
本実験例において、３つのメイン点光源６１０及び一つのサブ点光源６２０によって生成された白色光Ｗの輝度は約５３０９ｃｄ／ｍ２であり、色再現性は約１０４．５％である。即ち、色再現性は比較例と殆ど同等の水準となり、輝度は比較例に比べて約３％程度上昇した。赤色発光ダイオード６１２から発生される第１赤色光Ｒ１は、比較例よりピーク波長が５５５ｎｍに近い値にされ、これにより輝度を増加させることができる。一方、サブ発光ダイオード６２２から発生される第２赤色光Ｒ２は比較例と比べてピーク波長が緑色光のピーク波長から遠い値にされ、これにより色再現性を向上させることができる。
図９は本発明の一実施形態による表示装置を示す分解斜視図である。
図９に示すように、本発明の一実施形態による表示装置７００は収納容器７１０、光発生装置７２０及び表示ユニット８００を含む。
収納容器７１０は、底部７１２及び底部７１２の端部位から延長され収納空間を形成する側部７１４で構成される。収納容器７１０は、例えば、強度に優れており、変形が少ない金属からなる。
【００２０】
光発生装置７２０は収納容器７１０の底部７１２上に配置される。光発生装置７２０は、一定の間隔で離隔され、互いに平行に配置される。これとは異なり、光発生装置７２０は互いに異なる間隔で離隔され配置されることができる。一方、光発生装置７２０の回路基板７２２は収納容器７１０の外部に配置され、点光源７２４のみが収納容器７１０の内部に挿入された構造とすることができる。各光発生装置７２０の構成は、図１、図５及び図７に示された光発生装置の構成と同一であるので、その重複する詳細な説明は省略する。
表示ユニット８００は画像を表示する表示パネル８１０、表示パネル８１０を駆動するための駆動回路部８２０を含む。
【００２１】
表示パネル８１０は薄膜トランジスタ（以下、ＴＦＴ）基板８１２、ＴＦＴ基板８１２と対向し結合されるカラーフィルター基板８１４及び２つの基板８１２、８１４の間に介在する液晶(図示せず)を含む。ＴＦＴ基板８１２はスイッチング素子であるＴＦＴ(図示せず)がマトリックス状に形成されている透明なガラス基板である。前記ＴＦＴのソース端子にはデータラインが連結され、ゲート端子にはゲートラインが連結される。また、ドレイン端子には透明な導電性材質からなる画素電極が連結される。カラーフィルター基板８１４はＴＦＴ基板８１２から一定の間隔で離隔され対向するように配置される。カラーフィルター基板８１４は光が通過すると所定色を発現する色画素であるＲ、Ｇ、Ｂ画素が薄膜工程によって形成された基板である。カラーフィルター基板８１４の全面には透明な導電性材質からなる共通電極が形成される。このような構成を有する表示パネル８１０において、前記ＴＦＴのゲート端子及びソース端子に電源電圧が印加されＴＦＴがターンオンされると、画素電極と共通電極との間には電界が形成される。このような電界によってＴＦＴが基板８１２とカラーフィルター基板８１４との間に注入された液晶の配列角が変化し、変化した配列角によって光透過度が変化し、所望する階調の画像を表示するようになる。
【００２２】
駆動回路部８２０は表示パネル８１０のデータラインにデータ制御信号を供給するデータ印刷回路基板８２１、表示パネル８１０のゲートラインにゲート制御信号を供給するゲート印刷回路基板８２２、データ印刷回路基板８２１を表示パネル８１０に連結するデータ可撓性回路フィルム８２３及びゲート印刷回路基板８２２を表示パネル８１０に連結するゲート可撓性回路フィルム８２４を含む。データ可撓性回路フィルム８２３及びゲート可撓性回路フィルム８２４は、例えば、テープキャリアパッケージＴＣＰまたはチップオンフィルムＣＯＦからなる。
一方、表示装置７００は光発生装置７２０を発光させるための駆動電圧を発生する電源供給装置７３０をさらに含む。電源供給装置７３０から発生された駆動電圧は電源線７３２を通じてそれぞれの回路基板７２２に印加される。一例で、電源供給装置７３０は約１０Ｖの駆動電圧を出力する。
表示装置７００は光発生装置７２０の上部に配置される導光部材７４０をさらに含む。導光部材７４０は光発生装置７２０と所定間隔離隔されたところに配置される。導光部材７４０は光発生装置７２０から発生される赤色光、緑色光及び青色光を混合して殆ど白色光に近い光を出射する。導光部材７４０は、例えば、ポリメチル・メタクリレートＰＭＭＡ材質から形成される。
【００２３】
表示装置７００は導光部材７４０の上部に配置される光学部材７５０をさらに含むことができる。光学部材７５０は赤色光、緑色光及び青色光の完全な混合のための導光部材７４０と一定間隔以上に離隔されて配置される。光学部材７５０は、導光部材７４０から出射される光を拡散させる拡散板７５２及び拡散板７５２の上部に配置される光学シート７５４を含む。拡散板７５２は、導光部材７４０から出射される光を拡散させ光の輝度均一性を向上させる。拡散板７５２は所定厚さのプレート形状を有する。拡散板７５２は、例えばポリメチル・メタクリレートＰＭＭＡ材質からなり、内部に光の拡散のための拡散剤を含むことができる。光学シート７５４は拡散板７５２を通じて拡散された光の経路を再度変更して光の輝度特性を向上させる。光学シート７５４は拡散板７５２を通じて拡散された光を正面方向に集光し光の正面輝度を向上させるための集光シートを含むことができる。また、光学シート７５４は拡散板７５２を通じて拡散された光を再度拡散させるための拡散シートを含むことができる。一方、表示装置７００は要求される輝度特性によって多様な機能の光学シートを追加したり、または除去することが可能である。
【００２４】
このような光発生装置及びこれを有する表示装置によれば、赤色、緑色及び青色発光ダイオードからなるメイン点光源に１個ないし４個のサブ点光源を追加することにより、表示パネルを通じて表示される画像の輝度を増加させると同時に、色再現性を向上させることができる。
以上、本発明の実施形態によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００２５】
【図１】本発明の一実施形態による光発生装置１００を示す平面図である。
【図２】メイン点光源のみを使用した比較例による光のスペクトルを示すグラフである。
【図３】カラーマッチング関数を示すグラフである。
【図４】図１に示された点光源グループの実験例を示すグラフである。
【図５】本発明の他の実施形態による光発生装置を示す平面図である。
【図６】図５に示された点光源グループの実験例を示すグラフである。
【図７】本発明のさらに他の実施形態による光発生装置を示す平面図である。
【図８】図７に示された点光源グループの実験例を示すグラフである。
【図９】本発明の一実施形態による表示装置を示す分解斜視図である。
【符号の説明】
【００２６】
１００      光発生装置
１１０      回路基板
２００      点光源グループ
２１０      メイン点光源
２１２      赤色発光ダイオード
２１４      緑色発光ダイオード
２１６      青色発光ダイオード
２２０      サブ点光源
２２２      第１サブ発光ダイオード
２２４      第２サブ発光ダイオード
７００      表示装置
７１０      収納容器
７３０      電源供給装置
７４０      導光部材
７５０      光学部材
【図１】
2006164935.tif 000003
【図２】
2006164935.tif 000004
【図３】
2006164935.tif 000005
【図４】
2006164935.tif 000006
【図５】
2006164935.tif 000007
【図６】
2006164935.tif 000008
【図７】
2006164935.tif 000009
【図８】
2006164935.tif 000010
【図９】
2006164935.tif 000011